(57)【特許請求の範囲】
【請求項１】
記録体に画像を記録する記録手段と、
記録済の前記記録体を排出する排出手段と、
排出された前記記録体を積載保持する積載手段とを有する記録装置において、
前記排出手段によって排出される前記記録体に対して、前記記録体の排出方向の両側より下方から上方へ空気を送風する付与手段と、
前記積載手段に積載保持されている前記記録体の表面に対し、前記記録体の排出方向の両側より上方から下方へ風を吹き付ける送風手段と、
前記記録体が前記排出手段によって前記積載手段へ排出される際に前記付与手段へ風を供給するよう自動的に切り換え、前記記録体が前記排出手段から前記積載手段へ排出されたときに前記送風手段へ風を供給するよう自動的に切り換える切換手段とを有することを特徴とする記録装置。
【請求項２】
記録済の記録体を排出する排出手段と、
排出された前記記録体を積載保持する積載手段と、
前記排出手段によって前記積載手段へ排出される前記記録体を浮揚させるように、略下方から風を吹き付ける第１の送風手段と、
前記積載手段に積載保持されている前記記録体の表面を乾燥させるように、略上方から風を吹き付ける第２の送風手段と
前記第１の送風手段の風量を制御する制御手段と
を有することを特徴とする記録体搬送堆積装置。
【請求項３】
前記記録体が前記排出手段に排出されたことを検知する検知手段を有し、
前記制御手段が、前記検知手段の検知信号に応じて前記第１の送風手段の風量を減少させることを特徴とする請求項２に記載の記録体搬送堆積装置。
【請求項４】
前記制御手段は、前記第２の送風手段の風量を制御して、前記第１の送風手段の風量を減少させる場合に、前記第２の送風手段の風量を増加させることを特徴とする請求項２又は請求項３に記載の記録体搬送堆積装置。
【請求項５】
前記第１の送風手段は、前記記録体の排出方向の片側に沿って配置され内部に第１の中空部を有し表面の一部に前記中空部と連結された送風部を有する第１部材と、
前記第１部材と対向する側に沿って配置され内部に第２の中空部を有し表面の一部に前記中空部と連結された送風部を有する第２部材とを有し、
前記第１部材と前記第２部材とが前記記録体の幅方向に間隔可変に構成されていることを特徴とする請求項２乃至請求項４のいずれか１項に記載の記録体搬送堆積装置。
【請求項６】
前記第１部材は、前記記録体の幅方向に前記第２部材に向かって伸び内部に前記第１の中空部と連通する中空部を有する第１接続部を有し、
前記第２部材は、前記記録体の幅方向に前記第１部材に向かって伸び内部に前記第２の中空部と連通する中空部を有する第２接続部を有し、
前記第１部材と第２部材とは、前記第１接続部と前記第２接続部において中空部が連結されたまま前記記録媒体の幅方向に間隔可変に接続されていることを特徴とする請求項５に記載の記録体搬送堆積装置。
【請求項７】
記録体に画像を記録する記録手段と、
請求項２乃至請求項６の何れか１項に記載の前記記録体搬送堆積装置と、
を有することを特徴とする記録装置。
【請求項８】
記録体を積載保持する積載手段に記録済みの前記記録体を排出する工程と、
前記積載手段へ排出される前記記録体を浮揚させるように、略下方から風を吹き付ける第１の送風を行う工程と、
前記第１の送風の風量を減少させて、前記記録体を前記積載手段に積載するステップと、前記積載手段に積載されている前記記録体の表面を乾燥させるように、前記記録体の略上方から風を吹き付ける第２の送風を行う工程と、
を有する記録体搬送堆積方法。
【発明の詳細な説明】
【０００１】
【発明の属する技術分野】
この発明は、シート状の記録体上に画像等を記録形成した記録処理後の記録体を排出して積載保持可能とした記録装置、記録体を搬送して堆積するための記録体搬送堆積装置及び記録体搬送堆積方法に関する。
【０００２】
【従来の技術】
一般に、液状のインクによって記録体上に記録を行う記録装置として、インクジェット方式のプリンタ、ファクシミリ装置、複写機等の記録装置が用いられている。
【０００３】
このような記録装置には、液状のインクによって記録体上に記録を行った後に、記録装置本体に付属する出力記録体積載部に記録体を排出するよう構成されたものがある。そして、この記録装置の出力記録体積載部では、ここに順次排出される記録体を積み重ねてストックする。
【０００４】
上述のような記録装置では、記録装置本体から出力記録体積載部に第１の記録体を排出して載置した直後に第２の記録体を排出する動作を行うと、第２の記録体の先端が垂れ下がって第１の記録体の記録面上を擦りながら移動し、第１の記録体の上に積み重ねられる。この時、第１の記録体における記録面上のインクが乾いていないと、これに摺接する第２の記録体の先端が第１の記録体の記録面上の液状のインクを掃くように押し広げて画像を汚したり、又は第１の記録体の記録面上に乗った第２の記録体の裏面にインクがついて汚れることがある。
【０００５】
そこで従来より、上述のような記録体のインク汚れを防止するため特開平７−２５７８００号公報に開示された図７に例示する手段が提案されている。
【０００６】
図７に示す記録装置は、装置本体１０の内部において給紙部から搬送ローラ１２上に給紙された記録体としての記録紙１４にインクジェット方式の記録部１６で液状インクの微小液滴を飛翔させて付着することにより記録を行う。そして液状インクで記録された記録紙１４は、搬送ローラ１２の搬送路の下流側に配置された排紙コロ１８と対向コロ２０とに挟まれた状態で排紙コロ１８が回転されることにより１枚づつ水平方向に排出され、装置本体１０の外側に設けられた排紙部２２に順次積載される。
【０００７】
この記録装置では記録体のインク汚れを防止するため、ポンプ２４により送風口２６へ風を送り込み送風口２６の先端から記録紙１４の搬送方向下流側へ向けて風を吹き出し搬送ローラ１２から水平に送り出される記録紙１４の下面に風を当てて排出中の記録紙１４の先端を持ち上げ、排紙部２２にストックされている記録紙１４の液状のインクが付いている記録面の上をこするのを防止する手段が講じられている。
【０００８】
また従来より、記録体のインク汚れを防止するため特開平１−１４５１５３号公報に開示された図８に例示する他の手段が提案されている。図８には、記録装置本体の外側に設けられた排紙部における記録紙の搬送方向に直交する方向の断面が示されている。
【０００９】
この図８に示す手段では、排紙部２８の両サイドに一対のレール部材３２（ウイング）が装着されている。この一対のレール部材３２は、それぞれ床部材３４に直交する起立位置から、図８に示す互いに内側に向けて傾斜したガイド保持位置との間を回動操作可能に装着されている。
【００１０】
そして、一対のレール部材３２をガイド保持位置に開いた状態で装置本体で記録した記録紙３６を排紙部２８に送り出すと、記録紙３６が一対のレール部材３２によって両側部を支持されて床部材３４に載置されている先に出力された記録紙３６の上に持ち上げられた状態に保持される。
【００１１】
この状態で先に出力された記録紙３６のインクを乾かすまでの所定時間だけ待機し、所定時間経過後に一対のレール部材３２を起立位置に回動する。すると、一対のレール部材３２が記録紙３６から外れるので支えを失った記録紙３６は、先に出力された記録紙３６の上に落ちてストックされる。
【００１２】
このようにして、後続の記録紙３６の先端が先に出力された記録紙３６の記録面上の液状のインクを掃くように押し広げて画像を汚すインク汚れを生じたり、又は先に出力された記録紙３６の記録面上に乗った後続の記録紙３６の裏面にインクがついて汚れることを防止する。
【００１３】
【発明が解決しようとする課題】
前述した特開平７−２５７８００号公報に提示された従来の手段では、記録紙１４のサイズが大きくなって自重が増えた場合や、高密度印字による記録の為に多量のインクを記録紙１４に付着させて記録紙１４の自重が増加した場合には、ポンプ２４から送風口２６を通じて記録紙１４の排紙コロ近傍だけに風を吹きつけるだけなので、排出動作中の記録紙１４の先端が垂れ下がって先に排出済の記録紙１４の記録面を汚してしまう虞がある。さらに、この従来の手段では、記録紙１４を持ち上げるよう送風する専用のポンプ等を設置する必要があり、部品点数が増え構造が複雑となって製品価格が高くなる。
【００１４】
また、この従来の手段では、ポンプ２４から送風口２６を通じて排出動作中の記録紙１４に吹きつけられる風は、排出動作中の記録紙１４の先端が垂れ下がらないようにするために送風されるので、先に排出済の記録紙１４の記録面上の液状のインクを直接かつ満遍なく乾燥させることを目的としていない。
【００１５】
よって記録紙１４に高密度印字を行った場合では、排出済の記録紙１４の記録面のインクを満遍なく十分に乾燥するよう促進することがないので、後に排出された記録紙１４が排出済の記録紙１４の上に落下した時点で、排出済の記録紙１４の記録面のインク汚れおよび後に排出された記録紙１４の裏面汚れが発生し、各記録紙１４の画像を汚す虞があった。
【００１６】
また前述した特開平１−１４５１５３号公報に開示された図８に例示する他の従来の手段でも記録紙３６に高密度印字を行った場合には、排出済の記録紙３６の記録面のインクを満遍なく十分に乾燥するよう風を吹きつける手段がないので、後に排出された記録紙３６が排出済の記録紙３６の上に落下したときに排出済の記録紙３６の記録面のインクが濡れているとインク汚れおよび後に排出された記録紙１４の裏面汚れが発生し、各記録紙３６の画像を汚す虞があった。
【００１７】
本発明は上記事実を考慮し、記録体の記録画又は裏面をインクで汚さないようにでき、また簡素で廉価に構成できる記録装置、記録体搬送堆積装置及び記録体搬送堆積方法を新たに提供することを目的とする。
【００１８】
【課題を解決するための手段】
本発明の請求項１に記載の記録装置は、記録体に画像を記録する記録手段と、
記録済の記録体を排出する排出手段と、排出された記録体を積載保持する積載手段とを有する記録装置において、排出手段によって排出される記録体に対して、記録体の排出方向の両側より下方から上方へ空気を送風する付与手段と、積載手段に積載保持されている記録体の表面に対し、記録体の排出方向の両側より上方から下方へ風を吹き付ける送風手段と、記録体が排出手段によって積載手段へ排出される際に付与手段へ風を供給するよう自動的に切り換え、記録体が排出手段から積載手段へ排出されたときに送風手段へ風を供給するよう自動的に切り換える切換手段とを有することを特徴とする。
【００１９】
上述のように構成することにより、記録装置において、記録手段で記録済の記録体を排出手段で積載手段へ送り出す際に付与手段で記録体に風を当てて浮上させて排出中の記録体の先端が垂れ下がって排出済の記録体の上を擦らないように搬送し、次に記録体が排出手段から積載手段へ移行した後に送風手段で風を記録体の記録面に当て乾燥を促進させるという一連の動作を、切換手段で自動的に切換えて連続して実行できる。
【００２０】
本発明の請求項２に記載の記録体搬送堆積装置は、記録済の記録体を排出する排出手段と、排出された記録体を積載保持する積載手段と、排出手段によって積載手段へ排出される記録体を浮揚させるように、略下方から風を吹き付ける第１の送風手段と、積載手段に積載保持されている記録体の表面を乾燥させるように、略上方から風を吹き付ける第２の送風手段と第１の送風手段の風量を制御する制御手段とを有することを特徴とする。
【００２１】
上述のように構成することにより、記録体搬送堆積装置において、記録体を排出手段で積載手段へ送り出す際に付与手段で記録体に風を当てて浮上させて排出中の記録体の先端が垂れ下がって排出済の記録体の上を擦らないように搬送し、次に記録体が排出手段から積載手段へ移行した後に送風手段で風を記録体の記録面に当て乾燥を促進させる動作を実行できる。
【００２２】
請求項３に記載の発明は、請求項２に記載の記録体搬送堆積装置において、記録体が排出手段に排出されたことを検知する検知手段を有し、制御手段が、検知手段の検知信号に応じて第１の送風手段の風量を減少させることを特徴とする。
【００２３】
請求項４に記載の発明は、請求項２又は請求項３に記載の記録体搬送堆積装置において、制御手段は、第２の送風手段の風量を制御して、第１の送風手段の風量を減少させる場合に、第２の送風手段の風量を増加させることを特徴とする。
【００２４】
請求項５に記載の発明は、請求項２乃至請求項４のいずれか１項に記載の記録体搬送堆積装置において、第１の送風手段は、記録体の排出方向の片側に沿って配置され内部に第１の中空部を有し表面の一部に中空部と連結された送風部を有する第１部材と、第１部材と対向する側に沿って配置され内部に第２の中空部を有し表面の一部に中空部と連結された送風部を有する第２部材とを有し、第１部材と第２部材とが記録体の幅方向に間隔可変に構成されていることを特徴とする。
【００２５】
請求項６に記載の発明は、請求項５に記載の記録体搬送堆積装置において、第１部材は、記録体の幅方向に第２部材に向かって伸び内部に第１の中空部と連通する中空部を有する第１接続部を有し、第２部材は、記録体の幅方向に第１部材に向かって伸び内部に第２の中空部と連通する中空部を有する第２接続部を有し、第１部材と第２部材とは、第１接続部と第２接続部において中空部が連結されたまま記録体の幅方向に間隔可変に接続されていることを特徴とする。
【００２６】
前述のように構成することにより、第１部材と第２部材とが記録媒体の幅方向に間隔を伸縮調整して、記録媒体の幅方向両側近くに移動調整された送気口から風を吹きつけるようにできる。
【００２７】
よって記録体は、排出方向の両側に沿って平均的に揚力を受けて浮上した状態で積載手段の排出完了位置まで搬送される。
【００２８】
これに続けて、積載手段に積載保持されている記録体の表面には、記録体の排出方向の両側に接近した第１部材と第２部材とにより上方から下方へ風を吹き付けられるので記録体の記録面全体に風が行き渡るため、インクの乾燥を全体に渡って促進できる。よって、排出されてストックされている記録体の記録面の上に次に記録処理された記録体が載せられても排出済の記録体の記録面汚れ及び次に排出された記録体の裏面汚れを回避できる。
【００２９】
請求項７に記載の記録装置は、記録体に画像を記録する記録手段と、請求項２乃至請求項６の何れか１項に記載の記録体搬送堆積装置と、を有することを特徴とする。
【００３０】
本発明の請求項８に記載の記録体搬送堆積方法は、記録体を積載保持する積載手段に記録済みの記録体を排出する工程と、積載手段へ排出される記録体を浮揚させるように、略下方から風を吹き付ける第１の送風を行う工程と、第１の送風の風量を減少させて、記録体を積載手段に積載する工程と、積載手段に積載されている記録体の表面を乾燥させるように、記録体の略上方から風を吹き付ける第２の送風を行う工程と、を有することを特徴とする。
【００３１】
上述した記録体搬送堆積方法によれば、第１の送風を行う工程で、記録体を積載保持する積載手段に排出する動作の際に、記録体の略下方から風を吹き付ける。よって記録体は、揚力を受けて浮上した状態で積載手段の排出完了位置まで搬送される。次に、記録体を積載手段に積載する工程で、第１の送風を行う工程での風量を減少させて、記録体に対する揚力を除いて自重により落下させて積載手段に積載する。次に、第２の送風を行う工程で、積載手段に積載されている記録体の表面に対して、記録体の略上方から風を吹き付けることにより、記録体の記録面の乾燥を図ることができる。
【００３２】
【発明の実施の形態】
本発明の記録装置、記録体搬送堆積装置及び記録体搬送堆積方法の実施の形態に係わるインクジェットプリンタが図１〜図６に示されている。図１にインクジェットプリンタ全体の要部の概略を示すように装置本体５０には、主に記録体搬送部５２、印字部５４及び排出部５６が配置されている。
【００３３】
この記録体搬送部５２では、記録紙等のシート状の記録体６０の搬送路における上流側に上流搬送部６２を配置し、その下流側に下流搬送部６４を配置するとともに、これらの間にプラテン６６が配置されている。
【００３４】
上流搬送部６２は、上流搬送ロール６８とこれに転接する上流押さえロール７０とで構成されている。上流搬送部６２は、装置本体５０内に配置された図示しない記録体供給ユニットから１枚づつ送りだされる記録体６０を受け、その上流搬送ロール６８と上流押さえロール７０との間に挟んだ状態で上流搬送ロール６８を回動させることにより、記録体６０をプラテン６６上を通して下流搬送部６４へ送る。
【００３５】
下流搬送部６４は、下流搬送ロール７２とこれに転接する下流押さえロール７４とで構成されている。下流搬送部６４は、上流搬送部６２から送り出された記録体６０の先端部を下流搬送ロール７２と下流押さえロール７４との間に挟み込み下流搬送ロール７２を回動することによって記録体６０を排出部５６に排出するよう構成されている。
【００３６】
また、下流搬送部６４は、記録体６０の先端を挟んで送り動作を開始してから記録体６０の後端部が上流搬送部６２を離脱するまでの期間中に、上流搬送部６２と下流搬送部６４との間で記録体６０をテンションをもって張り渡し弛まないように搬送する。
【００３７】
また、上流搬送部６２から下流搬送部６４までの搬送路上に配置されたプラテン６６は、印字部５４で記録体６０上に印字する際に記録体６０を平面に保持可能とする為に、小さい孔を多数穿設した平板７６の下部を囲むダクト８０にバキュームファン７８を配置して構成されている。
【００３８】
このプラテン６６は、バキュームファン７８を駆動しダクト８０内を負圧にして平板７６の小孔を通じてダクト８０内に入る空気を外部に排気する。これによって、平板７６の表面上を記録体６０が摺動する際に記録体６０が各小孔を塞ぐとダクト８０内が負圧であるために、記録体６０は各小孔によってそれぞれ吸着されてプラテン６６の平面上に張り付くように引き伸ばされた状態に保持されながら下流側に搬送される。
【００３９】
プラテン６６の上方に配置された印字部５４は、記録体６０の搬送方向に直交する主走査方向（図１の紙面に直交する奥から手前方向）に沿ってスキャンシャフト８２を配置し、このスキャンシャフト８２にガイドされ主走査方向に往復動されるインクジェット方式のインクヘッド８４を装着して構成されている。
【００４０】
このインクヘッド８４は、主走査方向に往復動しながら、液状インクの微小液滴を飛翔させて記録体６０の平滑な記録面に付着させることにより記録を行う。
【００４１】
図１及び図３に示すように排出部５６は、記録済の記録体６０を積み重ねてストックする排出記録体積載部８６と、その上に配置された送気手段８８とを有する。排出記録体積載部８６は、下流搬送部６４から記録体６０の搬送方向下流側に向けて矩形状の合板を延設し、多数の記録体６０を積み重ねてストック可能に構成されている。
【００４２】
図２及び図３に示すように送気手段８８は、図に向かって左側の第１ダクト部材９０と、図に向かって右側の第２ダクト部材９２とを全体で略逆Ｕ字状となるように組み立てて構成されている。
【００４３】
第１ダクト部材９０は、中空で四角柱状の部材で形成した送気部９６と、その一端部を直角に折曲して形成した摺動接続部９４とで構成されている。この摺動接続部９４の端部は、中空内部が開放されるよう開口に形成されている。
【００４４】
また、第２ダクト部材９２は、中空で四角柱状の部材で形成した送気部９８を有する。さらに、送気部９８の一端部を直角に折曲し、端部を中空内部が開放されるよう開口し、この中空内部の内形が摺動接続部９４の外形より若干大きくなるように形成した摺動接続部１００を有する。
【００４５】
そして、第２ダクト部材９２の摺動接続部１００の中空内部に、第１ダクト部材９０の摺動接続部９４を気密を守って摺動自在となるように挿入し、全体略逆Ｕ字状となる送気手段８８が構成されている。
【００４６】
上述のように構成された送気手段８８は、摺動接続部１００に対して摺動接続部９４を摺動し第１ダクト部材９０を第２ダクト部材９２側に移動させることにより記録体６０のサイズに対応して、送気部９６と送気部９８との間隔を平行に伸縮調整可能とされている。なお、第１ダクト部材９０と第２ダクト部材９２とを共に移動調整可能に構成しても良いことは勿論である。
【００４７】
図１、図５及び図６に示すように、送気手段８８の各第１ダクト部材９０と第２ダクト部材９２とは、それぞれ内部を間仕切り１０６で仕切って、図で上の浮揚用送風路１０８と、図で下の乾燥用送風路１１０との空間が構成されている。また、各送気部９６，９８の相対向する側面部には、各々の浮揚用送風路１０８に沿って浮揚用送気口１０２が形成され、各々の乾燥用送風路１１０に沿って乾燥用送気口１０４が形成されている。
【００４８】
図３及び図４に示すように浮揚用送気口１０２では、各送気部９６、９８の浮揚用送風路１０８に対応する側面部を細長い略逆Ｕ字状に切れ目を入れて矩形長板状の片部を所定角度に曲げ起こし、排出記録体積載部８６の上の空中に位置する記録体６０の裏側に向けて風を送るようにガイドする送風ガイド１２０が設けられている。これと共に送風ガイド１２０が形成された側面部に開いた開口が空気吹き出し口１２２とされる。
【００４９】
また乾燥用送気口１０４も上述と同様に、各送気部９６、９８の乾燥用送風路１１０に対応する側面部を細長い路Ｕ字状に切れ目を入れて矩形長板状の片部を所定角度に曲げ起こし、排出記録体積載部８６上に置かれている記録体６０の記録面に向けて直接風を当てるようにガイドする送風ガイド１２４が設けられている。これと共に送風ガイド１２４が形成された側面部に開いた開口が空気吹き出し口１２６とされる。
【００５０】
図１及び図２に示すように送気手段８８には、バキュームファン７８の排気口に接続された排気パイプ１２８が接続され、バキュームファン７８の排気が排気パイプ１２８を通じて送気手段８８内に送気されるよう構成されている。なおこのようにバキュームファン７８の排気を利用する場合には、送風機を別途設ける構成に比較して部品点数を削減し、構成を簡素化できる。
【００５１】
図１、図２、図５及び図６に示すように送気手段８８と排気パイプ１２８との接続部には、浮揚用送風路１０８又は乾燥用送風路１１０の何れかに送風するよう切り換える為の切換手段１３０が装着されている。この切換手段１３０は、間仕切り１０６の所定部分に配置された固定部材１３２に切換弁１３４を軸着すると共に、切換弁１３４の動作を自動的にコントロールするための調整スプリング１３６を取付て構成されている。
【００５２】
この切換弁１３４は、排気パイプ１２８から浮揚用送風路１０８へ通じる送風路と排気パイプ１２８から乾燥用送風路１１０へ通じる送風路との何れをも開閉可能な平面形状を有する平板を、側面視で略への字状に折曲して形成されている。
【００５３】
また切換弁１３４の自由端部と排気パイプ１２８の内壁の所定箇所との間には、引張コイルばねである調整スプリング１３６が架設され、図５に示すように切換弁１３４が浮揚用送風路１０８に通じる送風路を閉鎖するよう付勢されている。
【００５４】
図１に示すように、装置本体５０の記録体搬送部５２おけるプラテン６６から記録体搬送方向下流の下流搬送部６４の直前の位置に、記録体６０が在るか否かを検出するための記録体検出センサ１１２が配置されている。この記録体検出センサ１１２は、装置本体５０内に設けられた図示しない制御部に接続されていて、記録体搬送部５２上の記録体検出センサ１１２の直上の位置に記録体６０があることを検出して、その検出信号を制御部に送るよう構成されている。
【００５５】
装置本体５０の制御部は、バキュームファン７８に制御信号を送ってバキュームファン７８で排気され排気パイプ１２８へ送風される風量制御する。なお、本実施の形態では、バキュームファン７８への印加電圧を制御することにより風量を調節している。また、制御部は、記録体検出センサ１１２で記録体６０を検出している間はバキュームファン７８への印加電圧を高くして風量を増大し、記録体検出センサ１１２で記録体６０を検出していない時はバキュームファン７８への印加電圧を低くして風量を減少させる制御を行う。
【００５６】
さらに、制御部は、印字部５４の動作制御、上流搬送ロール６８や下流搬送ロール７２の動作制御等の所定の制御を行うよう構成されている。
【００５７】
次に、上述のように構成された本実施の形態に係る記録装置の作用及び制御動作について説明する。
【００５８】
記録装置で記録体６０に記録する場合には、装置本体５０の図示しない操作ボタンを使用者が操作することにより、記録操作の信号が図示しない制御部に送られる。すると制御部は、制御信号を図示しない記録体供給ユニット送って記録体６０を記録体搬送部５２に一定の間隔で分割的に送り込む。制御部では、記録体搬送部５２の上流搬送部６２の上流搬送ロール６８を回転駆動制御し記録体６０をプラテン６６上に送る。
【００５９】
この時制御部は、バキュームファン７８を駆動させておき、平板７６の上に記録体６０を吸い寄せて平面状に保持させながら、記録体６０を下流搬送部６４へ送る。このようにして、記録体搬送部５２は、記録体６０の先端側を下流搬送部６４で挟まれ、後端側を上流搬送部６２で挟まれ、かつ中間部をプラテン６６で平面に保持された状態で排出部５６へ送られる。
【００６０】
そして制御部は、印字部５４に制御信号を送ってインクヘッド８４を駆動してスキャンシャフト８２を軸に主走査方向に摺動させながらインクの微小液滴を吐出し、プラテン６６上に送られてきた記録体６０の表面に画像を形成する。
【００６１】
次に、上述のようにして画像が形成された記録体６０を排出部５６へ排出し、ストックするときの制御及び動作について説明する。
【００６２】
制御部は、記録体６０が記録体搬送部５２の記録体検出センサ１１２を通過中であることを検知すると、バキュームファン７８に制御信号（印加電圧を一定量上げる）を送ってバキュームファン７８が大風量を送風するよう切り換えて運転する。
【００６３】
これによりバキュームファン７８から排気パイプ１２８を通じて送気手段８８の乾燥用送風路１１０に送られる送風量が増大する。すると排気パイプ１２８を流れる大風量の風が切換弁１３４の先端の折曲した端部にあたって、切換弁１３４を調整スプリング１３６の付勢力に抗して図５の矢印Ａ方向に回動させることにより図６の状態に移行させる。
【００６４】
図６の状態では、排気パイプ１２８から送られてくる大風量の風が浮揚用送風路１０８内に導かれる。そして図１及び図２に示すように大風量の風が、それぞれ摺動接続部９４、１００から送気部９６、９８の部分を通して空気吹き出し口１２２の細長い開口から吹き出すと共に送風ガイド１２０で案内して、排出記録体積載部８６の所定高さ上の位置に送り出される記録体６０に当てられる。
【００６５】
すなわち記録体６０に対する搬送方向の両横に当たる各下側からそれぞれ空気を吹き出し排紙動作中の記録体６０の下面全体に風を当て浮上させ、排紙動作中の記録体６０の先端が排紙済みのストックされている記録体６０の表面上に落下するのを防止する。
【００６６】
よって排出部５６へ排出される記録体６０の先端側の部分の長さが長くなっても、記録体６０の進行方向に沿って長く開いている浮揚用送気口１０２から風が記録体６０の進行方向に沿って幅広く吹いているので、下流搬送部６４から延出する記録体６０の先端側の部分は、空中に浮いた状態に保持される。
【００６７】
上述のようにして、記録体６０が下流搬送部６４の回動により排出部５６へ送られることにより、記録体６０の後端が記録体検出センサ１１２を通過すると、記録体検出センサ１１２で記録体６０が検知されなくなった時の信号が制御部に送られる。すると、制御部では、バキュームファン７８へ制御信号（印加電圧を通常運転時の電圧に下げる）を送ってバキュームファン７８が通常の小風量を送風するよう切り換えて運転する。
【００６８】
これによりバキュームファン７８から排気パイプ１２８を通じて送気手段８８へ送られる送風量が通常の量まで減少する。すると排気パイプ１２８を流れる通常風量の風圧より調整スプリング１３６の付勢力が勝って切換弁１３４を図６の矢印Ａと逆方向に回動させることにより図５の状態に復帰させる切り換え動作を行う。
【００６９】
図５の状態に切換えると、排気パイプ１２８から送られてくる通常風量の風が乾燥用送風路１１０内に導かれ、図１及び図４に示すように、それぞれ摺動接続部９４、１００から送気部９６、９８の部分を通して空気吹き出し口１２６の細長い開口から風が吹き出されると共にこの風が送風ガイド１２４で案内されて、排出記録体積載部８６の上面側に送風される。
【００７０】
このように乾燥用送気口１０４から風を送風するよう切り換えた時点で、排出部５６へ送り出す排出動作完了間近の記録体６０には浮揚用送気口１０２から風が送風されないので、排出動作完了間近の記録体６０は浮力を失う。よって、この直後に下流搬送部６４から外れるようにして排出記録体積載部８６上に排出された記録体６０は、その自重によって排出記録体積載部８６の上に落下する。
【００７１】
また、上述のようにして排出記録体積載部８６の上に排出され積み重ねられてストックされている排紙済記録体６０め記録面に対し、乾燥用送気口１０４から記録面全体に満遍なく風が当てられる。これにより記録体６０の記録面上のインクの乾燥を促進し、積載された排紙済記録体６０の記録面汚れ及び次に排出された記録体６０の裏面が汚れることを回避する。
【００７２】
この乾燥用送気口１０４からの送気状態は、次の記録体６０が記録体検出センサ１１２を通過中となることが検出されるまで続く。よって通常の装置本体５０の待機中は、乾燥用送気口１０４からの送気して排出記録体積載部８６に排出されている排紙済記録体６０の記録面上のインクの乾燥を促進する状態となる。
【００７３】
前述のように、本実施の形態の記録装置では、記録処理中の記録体６０を記録体検出センサ１１２で検知しているか否かによりバキュームファン７８の送風出力を切り替えて制御し、これに関連して切換手段１３０で風を浮揚用送風路１０８側又は乾燥用送風路１１０側に自動的に切り替える。これにより、記録済の記録体６０を排出部５６へ空中に浮上させながら排出する動作と、排出記録体積載部８６上にストックされている記録体６０の記録面の乾燥動作とを適切に切り換えて連続して動作させることができる。
【００７４】
なお本実施の形態の記録装置では、記録体搬送部５２のプラテン６６上をいわゆるバキューム搬送するために設置されたバキュームファン７８の排気を、排出部５６の送気手段８８での排出中の記録体６０を浮上させる送気と、排出部５６にストックされている記録体６０のインク乾燥用に利用するよう構成したが、装置本体５０の内部に設置する図示しない電気回路基板等の装置本体５０内部を冷却するための冷却ファンの排気を利用するよう構成しても良い。さらに、装置本体５０内に、送気手段８８へ送気するための専用の送風機を設置して構成しても良い。
【００７５】
【発明の効果】
本発明によれば、記録体に記録を行う記録装置、記録体搬送堆積装置及び記録体搬送堆積方法において、排出動作中の記録体の下面側に記録体の下方から上方への力を付与して排出中の記録体を浮上させるので、排出中の記録体の先端が排出済の記録体の上に触り汚れを生じることを防止できる。または、排出されてストックされている記録体の記録面全体に風を当てることでインクの乾燥を促進できる。よって、排出されてストックされている記録体の記録面の上に次に記録処理された記録体が載せられても排出済の記録体の記録面汚れ及び次に排出された記録体の裏面汚れを回避することができるという効果がある。
【図面の簡単な説明】
【図１】  本発明の実施の形態に係わる記録装置を例示する装置要部の概略構成図である。
【図２】  本発明の実施の形態に係わる記録装置の排出部の部分を取り出して示す要部の概略構成図である。
【図３】  本発明の実施の形態に係わる記録装置の排出部の方向から見た状態を示す全体概路斜視図である。
【図４】  本発明の実施の形態に係わる記録装置の送気手段の一部分を取り出して示す要部斜視図である。
【図５】  本発明の実施の形態に係わる記録装置における送気手段の切換手段が乾燥用送風路へ切り換えられた部分を取り出し断面で示す要部の概略構成図である。
【図６】  本発明の実施の形態に係わる記録装置における送気手段の切換手段が浮揚用送風路へ切り換えられた部分を取り出し断面で示す要部の概略構成図である。
【図７】  従来の記録装置の排紙手段を例示する装置要部の概略構成図である。
【図８】  従来の記録装置の他の排紙手段を例示する排紙装置部分の縦断面図である。
【符号の説明】
５０  装置本体
５２  記録体搬送部（排出手段）
５４  印字部（記録手段）
５６  排出部（積載手段）
６０  記録体
６２  上流搬送部
６４  下流搬送部
６６  プラテン
７８  バキュームフアン（付与手段）（送風手段）
８６  排出記録体積載部（積載手段）
８８  送気手段（付与手段）（送風手段）
１０２      浮揚用送気口（付与手段）
１０４      乾燥用送気口（送風手段）
１０８      浮揚用送風路（付与手段）
１１０      乾燥用送風路（送風手段）
１１２      記録体検出センサ
１２０      送風ガイド（付与手段）
１２２      空気吹き出し口（付与手段）
１２４      送風ガイド（送風手段）
１２６      空気吹き出し口（送風手段）
１２８      排気パイプ（付与手段）（送風手段）
１３０      切換手段
１３２      固定部材（切換手段）
１３４      切換弁（切換手段）
１３６      調整スプリング（切換手段）
【図１】
0003690178.tif 000002
【図２】
0003690178.tif 000003
【図３】
0003690178.tif 000004
【図４】
0003690178.tif 000005
【図５】
0003690178.tif 000006
【図６】
0003690178.tif 000007
【図７】
0003690178.tif 000008
【図８】
0003690178.tif 000009